(57)【要約】      （修正有）【課題】簡易な形状で、脈打ちが少なく、少量の注出が容易な液体用容器を提供する。また、広く用いられているペットボトルをかかる液体用容器とするための液体用容器変形具を提供する。【解決手段】注出口の軸線は本体部１の軸線に対して１０度以上傾斜しており、上端部にくぼみ８が設けられた液体用容器１を提供する。くぼみ８の形状によって課題を解決する。また、くぼみ８を含む箇所の形状を含む物体である液体用容器変形具を提供する。【選択図】図４
0003191933.tif 000002
【実用新案登録請求の範囲】
【請求項１】
略柱形の本体部と、略円柱形の注出口と、前記本体と前記注出口との間の上端部とを有する液体用容器であって、
前記注出口の軸線は前記本体部の軸線に対して一方向に１０度以上傾斜しており、
前記上端部の前記注出口から前記一方向の側にくぼみが設けられており、
前記注出口及び前記上端部のうち前記くぼみを除く部分は前記抽出口の軸線に対して回転対称形状であることを特徴とする、液体用容器。
【請求項２】
前記液体用容器の内側から前記注出口の軸線方向に見た射影図において、前記くぼみの周縁線の前記注出口の軸線からの距離は、前記注出口の軸線から前記一方向に延伸した直線と前記くぼみの周縁線との交点において極小となることを特徴とする、請求項１に記載の液体用容器。
【請求項３】
前記本体部の軸線と前記注出口の軸線とを含む断面図において、前記上端部を表す線は、前記注出口の端部から前記一方向に向けて移動することで前記注出口の軸線に対する傾斜が９０度を超えるまで単調に増大することを特徴とする、請求項１又は２に記載の液体用容器。
【請求項４】
請求項１〜３のいずれか１項に記載の液体用容器の上端部のうち前記くぼみを含む箇所の形状を含む物体であり、加熱してペットボトルに押し当てることでペットボトルを前記液体用容器の形状に変形するものであることを特徴とする、液体用容器変形具。
【考案の詳細な説明】
【技術分野】
【０００１】
本考案は、液体用容器、特に注出時の脈打ちの少ない容器、及び、かかる液体用容器を作成するための液体用容器変形具に関する。
【背景技術】
【０００２】
従来、ペットボトル等の液体用容器においては、容器内の液体を抽出する際に容器内から容器外への液体の注出と容器外から容器内への空気の流入との両方が注出口で行われるため、いずれか一方が他方によって遮断されてしまい、液体が一様に流出せずに断続的に流出してしまういわゆる「脈打ち」という現象が発生していた。
【０００３】
特許文献１には、脈打ちを軽減するために注出口にくぼみを設けた液体用容器が開示されている。確かにくぼみによって液体の抽出量を制限すれば空気が流入するための気道が残存する。しかし、液体の抽出量を制限しているだけであり、液体を注ぎ出すために容器を急角度に傾斜させなければならない。ゆえに、少量の液体を注ぎたい場合には不便であった。
【０００４】
この点、特許文献２及び特許文献３には、液体の流路とは別の気道を持った液体用容器が開示されている。かかる液体用容器によれば液体を注ぎ出すために容器を急角度に傾斜させなければならないことはない。しかし、構造が複雑であり、製造コストが高くなってしまう。量販されるペットボトル等に使用することは困難であった。また、くぼみによって液体の抽出量を制限している点は特許文献１に開示されたものと同様であり、少量の液体を注ぎたい場合に不便である問題は完全には解決されていない。
【先行技術文献】
【特許文献】
【０００５】
【特許文献１】特開２００６−３１５７１６号公報
【特許文献２】特開２００５−３２００５９号公報
【特許文献３】特開２００５−３３０００６号公報
【特許文献４】実用新案登録第３０９８８１３号公報
【考案の概要】
【考案が解決しようとする課題】
【０００６】
本考案は、簡易な形状で、脈打ちが少なく、少量の注出が容易な液体用容器を提供とすることを課題とする。また、広く用いられているペットボトルをかかる液体用容器とするための液体用容器変形具を提供とすることを副次的な課題とする。
【課題を解決するための手段】
【０００７】
（第１の考案）
本考案の液体用容器は、
略柱形の本体部と、略円柱形の注出口と、前記本体と前記注出口との間の上端部とを有する液体用容器であって、
前記注出口の軸線は前記本体部の軸線に対して一方向に１０度以上傾斜しており、
前記上端部の前記注出口から前記一方向の側にくぼみが設けられていることを特徴とする。
【０００８】
注出口の軸線が傾斜していることにより、脈打ちのない状態で多くの液体を注出することができる。図１は、従来の液体容器（一例としてペットボトルを示す。）の形状を示す図である。（Ａ）に示すように、液体容器１は、本体部２、注出口３及び上端部４を備えている。本体部２は略四角柱、注出口３は円柱の形状である。点線で示す回転対称境界５の内側は注出口３の軸について回転対称形であり、回転対称境界５は真円形である。上端部４により略四角柱状の本体部２が回転対称境界５を経て対象境界５に繋がっている。
【０００９】
図２は、脈打ちの理由を示す図である。（Ａ）に示すように、注出口３の開側（図の左側）から液体が注出される角度に液体容器１を傾けて液体を注出する。（Ａ）は液体が注出される最低の傾きである。液面６の上側に気道７が存在し、この状態では脈打ちは発生しない。（Ｂ）のように更に傾けると注出量が増加する。この状態でも気道７があり、脈打ちは発生しない。更に（Ｃ）に示す角度まで傾けると、液体が注出口全体を占めて、気道７がなくなる。この状態（及び更に傾けた状態）では脈打ちが発生する。
【００１０】
図３は、注出口を傾斜させる効果を示す図である。（Ａ）〜（Ｃ）は図２と同様であるが、注出口が傾斜していることにより、図２よりも多くの液体が注出される。また、（Ｄ）のように（Ａ）よりさらに緩い傾斜であっても液体が注出される。全体として、液体が注出される傾斜角度の範囲が図２よりも広くなり、脈打ちなく注出される液体が多く（流速が大きく）なる。
【００１１】
なお、特許文献４には注出口の軸線が傾斜しているペットボトルが開示されている。ここまでに説明した効果は、特許文献４に開示されたペットボトルによっても得ることが可能である。本考案は、「くぼみ」によってさらに大きな脈打ち防止効果を得る。かかる効果の詳細は、第２及び第３の考案の説明で述べる。
【００１２】
（第２の考案）
本考案の液体用容器は、
前記液体用容器の内側から前記注出口の軸線方向に見た射影図において、前記くぼみの周縁線の前記注出口の軸線からの距離は、前記注出口の軸線から前記一方向に延伸した直線と前記くぼみの周縁線との交点において極小となることを特徴とする。
【００１３】
図４は、くぼみを示す図である。（Ａ）は、図３（Ａ）に示した液体用容器にくぼみを付したものを示す。（Ｂ）は、斜視図である。回転対称境界５の外側において、上端部４にくぼみ８が形成されている。
【００１４】
図４（Ｂ）に示すくぼみの形状によって、気道が形成され、脈打ちが防止される。図５は、くぼみを示す詳細図である。注出口の軸線方向（図４（Ａ）に矢印Ｓで示す）に見た射影図である。くぼみ８の周縁線の注出口３の軸線からの距離ｒは、注出口３の傾斜する方向（図の下方）８ａにおいて極小となり、８ａの周辺８ｂでは８ａから離れると増大し、８ｃにおいて最大となる。液体用容器１を傾斜させて液体を注出する際、傾斜させる角度によって、液体が８ｃを流過し８ａを流過しない角度がある。この場合、８ａの箇所に気道が形成される。
【００１５】
（第３の考案）
本考案の液体用容器は、
前記本体部の軸線と前記注出口の軸線とを含む断面図において、前記上端部を表す線は、前記注出口の端部から前記一方向に向けて移動することで前記注出口の軸線に対する傾斜が９０度を超えるまで単調に増大することを特徴とする。
【００１６】
図６は、くぼみの角度を示す詳細図である。本体部２の軸線と注出口３の軸線とを含む断面図である。上端部４を表す線の接線と注出口３の軸線とのなす角度θは、図の下方に移動することで単調に増大し、θｍａｘに達する。θｍａｘ＞９０度である。くぼみ８のない通常の容器ではθｍａｘ＜９０度なので、θｍａｘ＞９０度となるのは、くぼみ８の効果である。
【００１７】
θｍａｘ＞９０度であることにより、少量の液体を注出することが容易になる。液体の注出を開始する際、液体用容器１の傾斜を増大させ、注出口３の軸線が水平になるところで注出が開始される。注出口３の軸線が水平になる際、θｍａｘ＞９０度であるので、液体が上端部４によって図の左下に停留させられ、注出量（流速）が急に増大することがない。液体用容器１の傾斜角度を調整して少量の注出量とすることが容易である。
【００１８】
（第４の考案）
本考案の液体用容器変形具は、
請求項１〜３のいずれか１項に記載の液体用容器の上端部のうち前記くぼみを含む箇所の形状を含む物体であり、加熱してペットボトルに押し当てることでペットボトルを前記液体用容器の形状に変形するものであることを特徴とする。
【００１９】
広く用いられている一般的なペットボトルを、本考案の液体用容器の形状に変形する加工を行うものである。詳細は、実施例に示す。
【考案の効果】
【００２０】
本考案の液体用容器によれば、簡易な形状で、脈打ちが少なく、少量の注出が容易な液体用容器が提供される。
【００２１】
本考案の液体用容器変形具によれば、広く用いられているペットボトルをかかる液体用容器とするための液体用容器変形具が提供される。
【図面の簡単な説明】
【００２２】
【図１】図１は、従来のペットボトル形状を示す図である。
【図２】図２は、脈打ちの理由を示す図である。
【図３】図３は、注出口を傾斜させる効果を示す図である。
【図４】図４は、くぼみを示す図である。
【図５】図５は、くぼみを示す詳細図である。
【図６】図６は、くぼみの角度を示す詳細図である。
【図７】図７は、液体用容器変形具を示す図である。
【考案を実施するための形態】
【００２３】
本考案の液体用容器の形状及びその効果については、「課題を解決するための手段」において詳述した。図４に示した形状の液体用容器によって、本考案の効果を得ることができる。
【００２４】
以下、本考案の液体用容器変形具によって広く用いられているペットボトルを本考案の液体用容器とする実施例について説明する。
【００２５】
図７は、液体用容器変形具を示す図である。（Ａ）に示すとおり、液体用容器変形具９は、液体用容器変形具本体９ａ及び注出口挿入孔９ｂを備えている。
【００２６】
液体用容器変形具９は、ペットボトルに合わせたサイズに設計されている、広く用いられているペットボトルは、同容量（例えば２リットル）であればほぼ同形であり、１の液体用容器変形具９による処理が可能である。液体用容器変形具本体９ａによって形成されるくぼみの相対的な位置が多少相違しても本考案の目的を達成でき、注出口挿入孔９ｂを全てのペットボトルの注出口が通過するようにやや太くすればよい。
【００２７】
使用に先立ち、液体用容器変形具本体９ａに加熱する。ペットボトルを変形させるためには、５０〜６０℃とすればよい。ペットボトルの材質であるポリエチレンテレフタレートの変形温度よりやや高温とするものである。加熱は、液体用容器変形具本体９ａを湯に浸けることにより可能である。むろん、液体用容器変形具本体９ａにニクロム線等の電気発熱体を備えサーモスタットによって温度調整をする、その他の方法によることもできる。
【００２８】
図に太矢印で示すように、注出口３を注出口挿入孔９ｂに挿入する。液体用容器変形具本体９ａをペットボトルの上端部４に押し込み、その後、（Ｂ）に示すように液体用容器変形具９を傾斜させる。液体用容器変形具本体９ａによってくぼみ８が形成される。
【００２９】
液体用容器変形具９を注出口３から抜取することで、ペットボトルの加工が完了する。加工後のペットボトルは図４の形状となる。
【産業上の利用可能性】
【００３０】
簡易な形状で脈打ちが少なく少量の注出が容易な液体用容器、及び広く用いられているペットボトルをかかる液体用容器とするための液体用容器変形具であり、多くの個人による利用が期待される。
【符号の説明】
【００３１】
１  液体用容器
２  本体部
３  注出口
４  上端部
５  回転対称境界
６  液体
７  気道
８  くぼみ
９  液体用容器変形具
【図１】
0003191933.tif 000003
【図２】
0003191933.tif 000004
【図３】
0003191933.tif 000005
【図４】
0003191933.tif 000006
【図５】
0003191933.tif 000007
【図６】
0003191933.tif 000008
【図７】
0003191933.tif 000009
【手続補正書】
【提出日】平成26年3月15日(2014.3.15)
【手続補正１】
【補正対象書類名】実用新案登録請求の範囲
【補正対象項目名】全文
【補正方法】変更
【補正の内容】
【実用新案登録請求の範囲】
【請求項１】
略柱形の本体部と、略円柱形の注出口と、前記本体と前記注出口との間の上端部とを有する液体用容器であって、
前記注出口の軸線は前記本体部の軸線に対して一方向に１０度以上傾斜しており、
前記上端部の前記注出口から前記一方向の側にくぼみが設けられており、
前記注出口及び前記上端部のうち前記くぼみを除く部分は前記注出口の軸線に対して回転対称形状であることを特徴とする、液体用容器。
【請求項２】
前記液体用容器の内側から前記注出口の軸線方向に見た射影図において、前記くぼみの周縁線の前記注出口の軸線からの距離は、前記注出口の軸線から前記一方向に延伸した直線と前記くぼみの周縁線との交点において極小となることを特徴とする、請求項１に記載の液体用容器。
【請求項３】
前記本体部の軸線と前記注出口の軸線とを含む断面図において、前記上端部を表す線は、前記注出口の端部から前記一方向に向けて移動することで前記注出口の軸線に対する傾斜が９０度を超えるまで単調に増大することを特徴とする、請求項１又は２に記載の液体用容器。
【請求項４】
液体用容器変形具本体及び円筒状の注出口挿入孔を備え、
前記液体用容器変形具本体はくぼみ形成用突起を有し、
前記くぼみ形成用突起は、前記注出口挿入孔のいずれかの一端における前記注出口挿入孔の軸線に垂直な平面に対して、前記注出口挿入孔と反対側に突出しており、
ペットボトルに押し当てることでペットボトルを前記液体用容器の形状に変形するものであることを特徴とする、液体用容器変形具。
【手続補正書】
【提出日】平成26年5月26日(2014.5.26)
【手続補正１】
【補正対象書類名】実用新案登録請求の範囲
【補正対象項目名】請求項４
【補正方法】変更
【補正の内容】
【請求項４】
液体用容器変形具本体及び円筒状の注出口挿入孔を備え、
前記液体用容器変形具本体はくぼみ形成用突起を有し、
前記くぼみ形成用突起は、前記注出口挿入孔のいずれかの一端における前記注出口挿入孔の軸線に垂直な平面に対して、前記注出口挿入孔と反対側に突出しており、
ペットボトルに押し当てることでペットボトルを請求項１〜３のいずれか１項に記載の液体用容器の形状に変形するものであることを特徴とする、液体用容器変形具。